(57)【要約】      （修正有）【課題】安全性確保、環境保護の前提で、うまく虫を殺す、虫を捕らえることができるゴム状物充填スプレーを提供する。【解決手段】ゴム状物充填スプレー１は、缶体１２と、封口部１３と、サイホン管ユニット１５と、押圧部１６を備える。缶体１２内部は収容空間を形成する。封口部１３は缶体１２の端部に位置し、且つ収容空間を密閉して隔絶する。サイホン管ユニット１５は封口部１３を貫設し、その一端が収容空間の内部に位置し、もう一端が封口部１３と缶体１２の外に突き出ている。押圧部１６は缶体１２の外部に位置するサイホン管ユニット１５の一端に被嵌する。その上、押圧部１６は噴射導引パイプを有し、噴射導引パイプがサイホン管ユニット１５の端部に相接する。【選択図】図２
0003201952.tif 000002
【実用新案登録請求の範囲】
【請求項１】
ゴム状物充填スプレー（1）であって、
缶体（12）と、前記缶（12）の内部に形成された収容空間（125）と、
前記缶体（12）の端部に位置し、且つ前記収容空間（125）を密閉して隔絶する封口部（13）と、
前記封口部（13）を貫設し、その一端が前記収容空間（125）の内部に位置し、もう一端が前記封口部と（13）前記缶体（12）の外に突き出ているサイホン管ユニット（15）と、
前記サイホン管ユニット（15）の端部に相接する噴射導引パイプ（163）を有し、前記缶体（12）の外部に位置する前記サイホン管ユニット（15）の一端に被嵌する押圧部（16）と、を備えることを特徴するゴム状物充填スプレー（1）。
【請求項２】
前記サイホン管ユニット（15）は前記収容空間（125）を通過して、前記缶体（12）の底部に突き当たることを特徴する請求項1に記載のゴム状物充填スプレー（1）。
【請求項３】
前記噴射導引パイプ（163）は前記押圧部（16）を貫通して、前記噴射導引パイプ（163）には第一出口（161）と第二出口（162）を有し、前記第一出口（161）は前記押圧部（16）の底部に位置し、前記第二出口（162）は前記押圧部（16）の側辺或いは上側面に位置することを特徴する請求項1に記載のゴム状物充填スプレー（1）。
【考案の詳細な説明】
【技術分野】
【０００１】
本発明はス充填スプレーに係わり、特に高圧液化ポリマー、化合物、且つ、常温、常圧の状態で噴出してゴム状物を形成できるゴム状物充填スプレーである。
【背景技術】
【０００２】
昆虫は世界で一番多い動物であって、日常生活の中で、小さい虫の蚤、蟻、シロアリ、蚊、ハエから、大きい虫のゴキブリまで、どこでも見える。そして前述の有害虫は病気を移すでけではなく、生活にも不快感を与える。
【０００３】
現在、市場に出回る殺虫の商品が非常に多い。殆どは昆虫に対して毒害を有する成分を通して殺虫の目的を達する。例えば：有機塩素系殺虫剤（例えばＤＤＴ）、有機リン系殺虫剤（例えばマラチオン、クロルピリホス、テメホス、ピリミホスメチル、スミチオンなど）カーバメート系殺虫剤塩（例えばプロポクスル）、ホウ酸、生理的な殺虫剤（例えば昆虫成長調整剤、いわゆるIGR）など、上述の有効成分は効果範囲が広くて、速い効力、値段が安いなどの長所があるが、以下の短所もある。
【０００４】
一、半減期が長い：上述の有効成分は環境の中で分解しにくいので、環境中に蓄積したり、生物濃縮だったり、食物の中に蓄積したり、転化したり、そして感染を汚染したりするのである。
【０００５】
二、人体に有毒：上述の有効成分はただ昆虫を殺すだけではなく、また呼吸、胃腸、結膜、及皮膚などに吸収されることによって、人体に深刻で、長期的な慢性中毒などの副作用をきたす。更に人が白血病などの癌に罹るリスクも増えてしまう。
【０００６】
三、虫に殺虫剤抵抗性がつきやすい：昆虫が長期的に上述の有効成分に触れた上で残した子孫は殺虫剤抵抗性がつきやすい。なので、その対抗性に対して、メーカー側はもっと高い薬量あるいは新型の有効成分を開発しなければならない。それは研究開発上でも、安全性上でも重たい負担となる。それに、高薬量の投入は人体への害毒の状況も更に酷くなることを意味する。
【０００７】
そのため、いかに安全性確保、環境保護の前提で、うまく虫を殺す、虫を捕らえる目的を実現するかは本技術分野通常の知識を持つ者の努力目標である。
【考案の概要】
【考案が解決しようとする課題】
【０００８】
殺虫剤を使って、ハエ、ゴキブリなどの有害虫を殺すのは安全性に懸念がある。幼児が誤用または誤食する心配もある。それに、環境保護にとっても不利である。
【課題を解決するための手段】
【０００９】
本考案はゴム状物充填スプレーであって、このゴム状物充填スプレーは
缶体と、封口部と、サイホン管ユニットと、前記缶の内部に形成された収容空間と、押圧部を備える。前記缶体内部は収容空間を形成する。前記封口部は前記缶体の端部に位置し、且つ前記収容空間を密閉して隔絶する。前記サイホン管ユニットは前記封口部を貫設し、その一端が前記収容空間の内部に位置し、もう一端が前記封口部と前記缶体の外に突き出ている。前記押圧部は前記缶体の外部に位置する前記サイホン管ユニットの一端に被嵌する。その上、前記押圧部は噴射導引パイプを有し、前記噴射導引パイプが前記サイホン管ユニットの端部に相接する。
上述のように、前記ゴム状物充填スプレーは前記サイホン管ユニットが前記収容空間を通過して、前記缶体の底部に突き当たる。
上述のように、前記ゴム状物充填スプレーは噴射導引パイプが前記押圧部を貫通して、前記噴射導引パイプには第一出口と第二出口を有し、前記第一出口は前記押圧部の底部に位置し、前記第二出口は前記押圧部の側辺或いは上側面に位置する。
【考案の効果】
【００１０】
本発明のゴム状物充填スプレーはその缶体には高圧液化ポリマー或る化合物を充填、収容することができる。押圧部を押すと、無毒のポリマー、化合物を噴出する。その噴出したポリマー、化合物はゴム状、絹状の物質になって有害虫につけて、その昆虫を粘着して、そして固定する。それによって昆虫を固定したり、捕らえたりする目的を実現する。しかも、その同時に害毒、環境汚染の問題が発生しない。
【図面の簡単な説明】
【００１１】
【図１】本発明のゴム状物充填スプレーの概略図である。
【図２】本発明のゴム状物充填スプレーの分解図である。
【図３】本発明のゴム状物充填スプレーの押圧部の仰視図である。
【図４】本発明のゴム状物充填スプレーの缶体の透視図である。
【図５】本発明のゴム状物充填スプレーの使用状況図である。
【考案を実施するための形態】
【００１２】
図1〜図4を参照してください。図1は本発明のゴム状物充填スプレーの概略図である。図2は本発明のゴム状物充填スプレーの分解図である。図3は本発明のゴム状物充填スプレーの押圧部の仰視図である。図4は本発明のゴム状物充填スプレーの缶体の透視図である。図に示すように、本発明のゴム状物充填スプレー1は缶体12、封口部13、サイホン管ユニット15及び押圧部16を備える。前記缶体12内部は収容空間125を形成する。前記缶体12の内部には高圧液化ポリマー或る化合物を充填することができる。前記ポリマー、化合物の内容は1,1-ジフルオロエタン（1,1-Difluoroethane、俗称R152-a）、1,1,1,2-テトラフルオロエタン（Tetrafluoroethane、俗称R134-a）、2,3,3,3-テトラフルオロプロペン（HFO-1234yf）、ジクロロジフルオロメタン（Dichlorodifluoromethane、俗称R-12）、クロロジフルオロメタン（Chlorodifluoromethane、俗称R-22）、クロロフルオロカーボン（CFC）、ハイドロクロロフルオロカーボン（HCFC）、ペルフルオロカーボン（FC）、ハイドロフルオロカーボン（HFC）、アンモニア（俗称R717）、ジメチルエーテル（dimethyl ether、俗称DME）、プロパン、ブタン、ポリウレタン（Polyurethane、俗称PU）、ポリメタクリル酸メチル（Polymethylmethacrylate，PMMA）、アクリル樹脂（acrylic resin）、ポリ塩化ビニル（Poly Vinyl Chloride，PVC）、ポリエチレン（polyethylene，PE）、ABS樹脂（Acrylonitrile Butadiene Styrene resin）、ポリアミド（polyamide，PA）、エポキシ（epoxy）、ポリイミド（PI）、ポリアミドイミド（PAI）、ポリアクリル酸（PAA）、ポリブチレン（PB）ポリカーボネート（PC）、ポリエーテルエーテルケトン（PEEK）...などのポリマー或る化合物を含むが、それらに限らない。
【００１３】
また、前記封口部13は前記缶体12の上端部に位置し、その形状が円盤状で、前記収容空間125を密閉して隔絶する。即ち、前記封口部13の目的は缶体12を密閉して、隔絶して、前記収容空間125内部の高圧ポリマー或る高圧化合物の漏れを防ぐ。一般的に言えば、記収容空間125内部の高圧ポリマー或る高圧化合物は、充填の成分、比例、圧力の大きさによって、液体、気体、ゴム状或いは絹状...などの違う状態を呈することができる。また、図4に示すように、前記サイホン管ユニット15は上下の方向に（垂直的な設置が理想）前記封口部13を貫設することによって、前記サイホン管ユニット15の下端が前記収容空間125の中に位置し、前記サイホン管ユニット15の上端が前記封口部13と前記缶体12の外部の外に突き出ている。また図2に示すように、前記押圧部16は前記缶体12の外部に位置する前記サイホン管ユニット15の一端に被嵌する。それによって、前記押圧部16は前記サイホン管ユニット15の端部と互いに相接して、缶体12の上端部に固定することができる。
【００１４】
なお、前記押圧部16は噴射導引パイプ163を備える。前記射導引パイプ163には第一出口161と第二出口162を有する。前記第一出口161は前記押圧部16の底部（図3参照）に位置し、前記第二出口162は前記押圧部16の左側に位置する。それによって、前記噴射導引パイプ163は前記押圧部16を貫通する。前記押圧部16と前記サイホン管ユニット15との結合方式は、前記押圧部16の前記噴射導引パイプ163を通して、前記サイホン管ユニット15の上端部に互いに接続、結合する。即ち、前記サイホン管ユニット15の上端部は前記第一出口161の中に挿入することで、前記押圧部16と前記サイホン管ユニット15を密封して、結合する。更に良い実施するための形態では、前記サイホン管ユニット15の上端部が前記噴射導引パイプ163を挿入する時に、しまりばめ（interference fit）の状態を呈する。その結果、前記缶体12の前記収容空間125の中の高圧液体、気体、或いは高圧ゴム状物は順次に前記サイホン管ユニット15に、前記噴射導引パイプ163に沿って、前期第二出口162から噴出する時、前記第一出口161のところでは気体漏れ、漏洩の状況を避けることができる。
【００１５】
図2に示すように、本実施例の噴射導引パイプ163は円弧湾曲状を呈する。もちろん、前記噴射導引パイプ163は直線曲げの形状を呈することもできる。他の実施例の中では前記噴射導引パイプ163は上下の方式或いは垂直方向で設置することもできる。即ち、前記噴射導引パイプ163一直線に形状を呈するので、上下の方向に前記押圧部16（未図示）を貫通することができる。これにより、前記第一出口161はまだ前記押圧部16の底部に位置する。一方、前記第二出口162は前記押圧部16の側面に位置する。従って、前記収容空間125内の高圧液体、高圧気体、或いは高圧ゴム状物は前記ゴム状物充填スプレー1の真上に噴出できる。更に、図4に示すように、更に良い実施するための形態では、前記サイホン管ユニット15は前記収容空間125を通過して、前記缶体12の底部に突き当たって、接触する。それ以外、本実施例の缶体12は円筒状或いは円柱状を呈する。図2の側視図を見れば、前記缶体12の側辺は直線状も、円弧状も呈することができる。
【００１６】
図5に参照してください。図5は本発明のゴム状物充填スプレーの使用状況図である。これによって、本発明のゴム状物充填スプレー1は、ゴキブリ或いは有害の昆虫8に向かって、絹状でゴム状物91を噴射する。前記絹状でゴム状物91で昆虫8をだんだん包んで、巻き付けて粘着して、昆虫の脱走を防ぐ。前記絹状でゴム状物91が完全に昆虫8を包んだら、前記昆虫8は動く力を失って、更に窒息、死亡に至ることもある。その時、人々は昆虫8を包んだ前記絹状でゴム状物91を拾って捨てればいい。手を汚すことも、害毒、環境汚染の状況が発生することもないので、エゴで、しかも衛生的である。
【００１７】
これにより、本発明のゴム状物充填スプレー1の缶体12の中は高圧液化のポリマー或る高圧化合物を充填、収容できる。前記押圧部16を押せば、無毒のポリマー、化合物をは噴射し、ゴム状、絹状の物質に形成され、有害昆虫8につけて、その昆虫を粘着して、そして固定する。それによって、安全性確保、環境保護の前提で、うまく虫を殺す、虫を捕らえる目的を実現する。非常に実用的である。。
【符号の説明】
【００１８】
１        ゴム状物充填スプレー
１２      缶体
１２５    収容空間
１３      封口部
１５      サイホン管ユニット
１６      押圧部
１６１    第一出口
１６２    第二出口
１６３    噴射導引パイプ
８        昆虫
９１      絹状でゴム状物
【図１】
0003201952.tif 000003
【図２】
0003201952.tif 000004
【図３】
0003201952.tif 000005
【図４】
0003201952.tif 000006
【図５】
0003201952.tif 000007